(57)【特許請求の範囲】
【請求項１】
上側手すりと、下側手すりと、端部部品を備え、上側手すりと下側手すりは、上下に平行に並んで設けてあり、端部部品は、上側連結部と、下側連結部と、中間部からなり、Ｕ字状をなすものであって、上側連結部は、上側手すりと連結してあり、下側連結部は、下側手すりと連結してあり、中間部は、上側手すり及び下側手すりに直交していて、上側連結部又は下側連結部の一方と一体であり、中心軸に沿って長手方向全長にわたって雌ネジ部を設けてあって、上側連結部又は下側連結部の他方に設けた雄ネジ部に螺合するものであり、中間部を切り詰めることで上側連結部と下側連結部の間隔を調整可能であることを特徴とする手すり。
【発明の詳細な説明】
【技術分野】
【０００１】
本発明は、公共空間の通路などに設置する手すりに関する。
【背景技術】
【０００２】
公共空間の通路などに設置する手すりにおいて、図７に示すように、上下二段に上側手すり１と下側手すり２を設けて、身長に応じて使えるようにしたものがあり、上下の手すり１，２の端部には、下向きに屈曲するキャップ１００を取り付けてあった。しかし、このような従来の手すりにおいては、上下の手すり１，２の端部に、使用者の上着の袖口や鞄の持ち手などが引っ掛かって使用者が転倒するおそれがあり、特に目の不自由な人などにとって危険であった。そこで、図８に示すような、上側手すり１と下側手すり２の両端部を連結するＵ字状の端部部品２００が必要となった。
【発明の概要】
【発明が解決しようとする課題】
【０００３】
しかしながら、このような手すりを傾斜地に設置する場合、傾斜角度によって上下の手すりの間隔が変わるので、Ｕ字状の端部部品について、手すりの間隔に合わせた複数の異なる幅寸法のものが必要となり、手間や費用がかかるため、問題であった。
【０００４】
本発明は、上記事情を鑑みたものであり、上下二段に上側手すりと下側手すりを有し、その端部を連結する端部部品が、上側手すりと下側手すりの間隔が異なる場合に対応可能なものである手すりを提供することを目的とする。
【課題を解決するための手段】
【０００５】
本発明は、上側手すりと、下側手すりと、端部部品を備え、上側手すりと下側手すりは、上下に平行に並んで設けてあり、端部部品は、上側連結部と、下側連結部と、中間部からなり、Ｕ字状をなすものであって、上側連結部は、上側手すりと連結してあり、下側連結部は、下側手すりと連結してあり、中間部は、上側手すり及び下側手すりに直交していて、上側連結部又は下側連結部の一方と一体であり、中心軸に沿って長手方向全長にわたって雌ネジ部を設けてあって、上側連結部又は下側連結部の他方に設けた雄ネジ部に螺合するものであり、中間部を切り詰めることで上側連結部と下側連結部の間隔を調整可能であることを特徴とする。
【発明の効果】
【０００６】
本発明によれば、この手すりを傾斜地に設置する場合、傾斜角度が大きくなるほど上側手すりと下側手すりの間隔が狭くなるが、中間部を傾斜角度に応じた長さ分だけ切り詰めるだけで、上側連結部と下側連結部の間隔を上側手すりと下側手すりの間隔に一致させられる。よって、単一種類の端部部品で、上下の手すりの間隔が異なる場合に対応可能であり、容易に上下の連結部と上下の手すりをそれぞれ体裁よく連結することができる。
【図面の簡単な説明】
【０００７】
【図１】手すりの端部の正面図である。
【図２】上側連結部を示し、（ａ）は側面図、（ｂ）は正面図、（ｃ）は平面図である。
【図３】下側連結部を示し、（ａ）は平面図、（ｂ）は側面図、（ｃ）は正面図である。
【図４】手すりの傾斜角度が異なる場合の端部部品の説明図であり、（ａ）は傾斜角度０度の場合、（ｂ）は傾斜角度４０度の場合である。
【図５】手すりの正面図である。
【図６】手すりの縦断面図である。
【図７】従来の手すりの正面図である。
【図８】従来の端部部品を取り付けた手すりの端部の正面図である。
【発明を実施するための形態】
【０００８】
以下、本発明の実施の形態を図面に基づいて説明する。この手すりは、公共空間の通路に設置するものであって、図５に示すように、上側手すり１と、下側手すり２を備える。上側手すり１と下側手すり２は、アルミ製の丸パイプからなり、上下に平行に並んで設けてあって、使用者が身長に応じて使えるようにしたものであり、上側手すり１の方が下側手すり２よりも太くなっている。この上側手すり１と下側手すり２は、設置面に立設した支柱９により支持される。より詳しくは、図６に示すように、支柱９の側面に、上下に二つのブラケット９１を取り付けてある。ブラケット９１は略Ｌ字形で、上向きの先端面に、上側手すり１及び下側手すり２の長手方向に沿って溝部９２を形成してある。そしてブラケット９１の先端には、支持部材９３を取り付けてある。支持部材９３は、上側手すり１及び下側手すり２の下面を支持する受部９４と、受部９４の上側に設けた筒状の挿通部９５と、受部９４の下側に設けた固定部９６からなり、固定部９６をブラケット９１の溝部９２に挿入し、上側手すり１及び下側手すり２に直交する方向からボルトを挿入して固定してある。よって、この支持部材９３は、ブラケット９１に対して、傾斜角度を自在に設定できる。そして、挿通部９５に上側手すり１及び下側手すり２をそれぞれ挿入して、受部９４を上側手すり１及び下側手すり２の下面に当接させて、上側手すり１及び下側手すり２を支持している。
【０００９】
ここで、図５に示すように、この手すりを傾斜地に設置する場合、平地の場合と同じ支柱９を用いる。この際、図１に示すように、ブラケット９１に対する支持部材９３の傾斜角度を、傾斜地の傾斜角度に応じて変化させ、傾斜地においても、上側手すり１と下側手すり２を平行に並んで支持するが、上下のブラケット９１の間隔は、平地でも傾斜地でも同じなので、傾斜地では、平地と比べて上側手すり１と下側手すり２の間隔が変化する。より詳しくは、平地における上側手すり１と下側手すり２の間隔（上下のブラケット９１の間隔）をａ、傾斜地の傾斜角度をθとすれば、傾斜地における上側手すり１と下側手すり２の間隔は、ａ×ｃｏｓθとなり、傾斜角度が大きくなるほど、上側手すり１と下側手すり２の間隔が狭くなる。よって、平地においては、上側手すり１と下側手すり２の間隔が常に同じなので、図８に示したような、一体ものの端部部品２００を取り付ければよいが、傾斜地においては、上側手すり１と下側手すり２の間隔が異なる場合に対応可能な本願発明の端部部品３を用いる。
【００１０】
この端部部品３は、図１に示すように、上側連結部４と、下側連結部５と、中間部６からなり、全体としてＵ字状をなすものであって、何れもアルミ鋳物により形成されている。
【００１１】
上側連結部４は、図１及び図２に示すように、丸棒からなり９０度屈曲したＬ字形部４１と、Ｌ字形部４１の一端にネジ止めした接続部４２からなる。接続部４２は、Ｌ字形部４１と同径でＬ字形部４１の一端を延長するように取り付けられ、端面には円形の凹部４３を形成してあり、さらに凹部４３の底面に接続片４４を垂設してある。凹部４３の直径は、上側手すり１の直径と略同じであり、上側手すり１の端部を凹部４３に嵌めるとともに、接続片４４を上側手すり１の端部の開口に挿入し、上側手すり１の下側からネジ止めして固定する。こうして、上側手すり１と、上側連結部４（接続部４２及びＬ字形部４１の一端）が、直線状に連結される。そして、下方を向いたＬ字形部４１の他端には、ボルト８１を埋め込んである。また、端面には円形の凹部４５を形成してあり、凹部４５の底面の中心から、ボルト８１の雄ネジ部８が底面に対して垂直向きに突出している。
【００１２】
下側連結部５は、図１及び図３に示すように、丸棒からなり９０度屈曲したＬ字形部５１と、Ｌ字形部５１の一端にネジ止めした接続部５２からなる。なお、上側連結部４のＬ字形部４１と、下側連結部５のＬ字形部５１は、直径が同じである。接続部５２は、Ｌ字形部５１と同径でＬ字形部５１の一端を延長するように取り付けられるが、先端部は先細形状となっており、端面には円形の凹部５３を形成してあり、さらに凹部５３の底面に接続片５４を垂設してある。凹部５３の直径は、下側手すり２の直径と略同じであり、下側手すり２の端部を凹部５３に嵌めるとともに、接続片５４を下側手すり２の端部の開口に挿入し、下側手すり２の下側からネジ止めして固定する。こうして、下側手すり２と、下側連結部５（接続部５２及びＬ字形部５１の一端）が、直線状に連結される。そして、上方を向いたＬ字形部５１の他端には、中間部６を下側連結部５（Ｌ字形部５１）と一体に設けてある。中間部６も丸棒からなり、中心軸方向が上側手すり１及び下側手すり２に直交するものであって、その直径は、上側連結部４及び下側連結部５のＬ字形部４１，５１よりも細く、上側連結部４のＬ字形部４１の他端に形成した凹部４５の直径と略同じである。そして、中間部６には、中心軸に沿って長手方向全長にわたって雌ネジ部７を形成してあり、雌ネジ部７は中間部６の端面の中心に開口している。この雌ネジ部７と、上側連結部４に設けた雄ネジ部８が螺合することで、上側連結部４と、下側連結部５と、中間部６が一体となって端部部品３を形成し、全体としてＵ字状をなす。そして、螺合する前に中間部６を適宜切り詰めることで、上側連結部４と下側連結部５の間隔を調整することができる。雌ネジ部７は、中間部６の長手方向全長にわたって形成してあり、切り詰めて新たに形成された端面にも雌ネジ部７の開口が現れるので、調整に際して中間部６の切断以外の加工は必要ない。さらに、中間部６は上側連結部４及び下側連結部５のＬ字形部４１，５１よりも細いので、切断が容易であるだけでなく、上側連結部４のＬ字形部４１の下方を向いた他端を先太りさせずに凹部４５を設けることができ、意匠性が良好である。
【００１３】
次に、このように構成した端部部品３の取り付けについて説明する。図１及び図５に示すように、上側手すり１と下側手すり２を傾斜地に設置した場合に、その端部にこの端部部品３を取り付ける。まず、上側手すり１と下側手すり２の間隔に合わせて、上側連結部４と下側連結部５の間隔を調整する。上側手すり１と下側手すり２の間隔は、設置面の傾斜角度により定まるので、中間部６の切り詰め長さは、傾斜角度から計算により求められる。工具により中間部６を所定長さだけ切り詰めたら、中間部６の雌ネジ部７と、上側連結部４の雄ネジ部８を螺合する。雄ネジ部８を雌ネジ部７にねじ込んでいくと、中間部６の先端が、上側連結部４のＬ字形部４１の端面に形成された凹部４５に嵌まって呑み込まれる。そのため、中間部６の先端が外側から見えず、意匠性が良好である。なお、中間部６の端面が上側連結部４の凹部４５の底面に当接するまでねじ込むと、上側連結部４の接続部４２の向きと下側連結部５の接続部５２の向きが一致しない場合もあるので、その場合には、最後までねじ込まず、その手前の両接続部４２，５２の向きが一致するところでねじ込みを止める。こうすると、中間部６の端面と上側連結部４の凹部４５の底面の間に僅かな隙間が生じるが、中間部６の先端は凹部４５に嵌まって呑み込まれており、隙間は外側から見えないので、意匠上は問題ない。また、中間部６は下側連結部５と一体になっているので、中間部６の先端が嵌まって呑み込まれる凹部４５が上側連結部４に下向きに設けてあり、凹部４５や中間部６の端面と凹部４５の底面の間の隙間に、水やゴミなどが入り込まない。そして、上側手すり１の端部を上側連結部４の接続部４２に形成された凹部４３に嵌めるとともに、接続片４４を上側手すり１の端部の開口に挿入してネジ止めし、下側手すり２の端部を下側連結部５の接続部５２に形成された凹部５３に嵌めるとともに、接続片５４を下側手すり２の端部の開口に挿入してネジ止めする。こうして、上側手すり１と下側手すり２の端部同士が、端部部品３により連結される。
【００１４】
なお、図４に示すのは、この端部部品３を、上側手すり１及び下側手すり２の傾斜角度が異なる場合に対応させた例である。（ａ）は、傾斜角度が０度の場合である。この場合、中間部６を切り詰めることなく、そのまま用いることができる。ただし、傾斜角度が０度の場合（平地の場合）、必ずしもこの端部部品３を用いる必要はなく、図８に示すような従来の一体ものの端部部品２００を用いてもよい。そして（ｂ）は、（ａ）を傾斜角度４０度にした場合である。上下のブラケット９１の間隔は同じなので、傾斜地では、上側手すり１と下側手すり２の間隔は、傾斜角度が大きくなるほど狭くなる。それに伴い、端部部品３の上側連結部４と下側連結部５の調整幅も大きくなるが、このような場合でも、中間部６を一箇所切断して切り詰めるだけで、容易に調整が可能である。そして、傾斜角度によらず、上側連結部４と下側連結部５を、それぞれ上側手すり１と下側手すり２に対して直線状に体裁よく連結できる。
【００１５】
このように構成した本発明の手すりによれば、上側手すり１と下側手すり２の両端部がＵ字状の端部部品３によって連結されており、突出する端部が存在しないので、上着の袖口などが引っ掛かることがなく、安全に使用できる。そして、この手すりを傾斜地に設置する場合、傾斜角度が大きくなるほど上側手すり１と下側手すり２の間隔が狭くなるが、中間部６を傾斜角度に応じた長さ分だけ切り詰めるだけで、上側連結部４と下側連結部５の間隔を上側手すり１と下側手すり２の間隔に一致させられる。よって、単一種類の端部部品３で、上下の手すり１，２の間隔が異なる場合（すなわち傾斜角度が異なる場合）に対応可能であり、容易に上下の連結部４，５と上下の手すり１，２をそれぞれ直線状に体裁よく連結することができる。また、中間部６は下側連結部５と一体になっており、上側連結部４と螺合するもので、螺合部が上側に位置するので、水などが入り込まない。さらに、中間部６は上側連結部４及び下側連結部５のＬ字形部４１，５１よりも細いので、切断が容易である。また、中間部６の先端が、上側連結部４の凹部４５に嵌まって呑み込まれるので、切断面が外部からは見えず、意匠性が良好である。
【００１６】
本発明は、上記の実施形態に限定されない。たとえば、上下の手すりや上下の連結部及び中間部の断面形状は、円形に限られず、矩形などであってもよい。また、中間部は、上側連結部と一体になっていてもよく、その場合、下側連結部に雄ネジ部が設けられる。
【符号の説明】
【００１７】
１  上側手すり
２  下側手すり
３  端部部品
４  上側連結部
５  下側連結部
６  中間部
７  雌ネジ部
８  雄ネジ部
【図１】
0006293639.tif 000002
【図２】
0006293639.tif 000003
【図３】
0006293639.tif 000004
【図４】
0006293639.tif 000005
【図５】
0006293639.tif 000006
【図６】
0006293639.tif 000007
【図７】
0006293639.tif 000008
【図８】
0006293639.tif 000009